(57)【特許請求の範囲】
【請求項１】
噴孔を含む容器の一部または大部分が鉛直方向の軸心まわりに回転し、かつ、
回転中に噴霧が持続するタイプのエアゾール製品であって、
前記容器の一部または大部分をその回転中心に対して一方向に回転させる第１の噴孔と、逆方向に回転させる第２の噴孔とを備えており、
容器の一部または大部分の回転数が３５回／分以下となるように、第１の噴孔からの噴射の反作用と第２の噴孔からの噴射の反作用に基づくトルクの差で行われる、
回転式エアゾール製品
【請求項２】
前記噴射の反作用に基づくトルクの差が、噴孔の水平方向の角度の差、噴孔の垂直方向の角度の差、噴孔の回転中心からの距離の差、または、噴孔の内径の差に基づいている、請求項１記載の回転式エアゾール製品。
【請求項３】
前記第１、第２の噴孔の向きが水平面に対して上向きに−１０〜７０度である請求項１記載の回転式エアゾール製品。
【請求項４】
前記第１、第２の噴孔の噴射量が７〜３０ｇ／１０秒である請求項１記載の回転式エアゾール製品。
【請求項５】
エアゾール組成物中の噴射剤の割合が２５〜９０重量％である請求項１記載の回転式エアゾール製品。
【請求項６】
噴射開始から全量を噴射するまでの間に、４５〜７２０度回転する請求項１記載の回転式エアゾール製品。
【請求項７】
操作から所定時間経過後に、噴射または回転が開始する請求項１記載の回転式エアゾール製品。
【請求項８】
操作から９０度回転するまでに５秒以上を要する請求項１記載の回転式エアゾール製品。
【請求項９】
操作直後は、バルブと容器内の気相部とが連通しており、気相部の気体のみを噴射し、
気体のみの噴射により回転速度が上がった所定時間経過後に、バルブと容器内の液相部とが連通し、液相部の薬液の噴霧を開始する請求項１記載の回転式エアゾール製品。
【請求項１０】
前記エアゾール製品のバルブがバルブ内と容器内の液相部とを連通するディップチューブと、バルブ内と容器内の気相部とを連通するベーパータップとを有し、
前記バルブのディップチューブと連通する下穴を塞ぐ位置と、回転中心に関してその下穴を塞ぐ位置より遠いベーパタップを塞ぐ位置との間で移動自在に設けられる閉塞部材を備えており、
操作直後はベーパータップから気相部にある気体がバルブ内に導入され、導入された気体の勢いにより前記閉塞部材が前記下穴を塞ぎ、
気体のみの噴射により回転速度が上がった所定時間経過後に、前記閉塞部材に生じる遠心力で閉塞部材がベーパータップを塞ぐ位置に移動する、
請求項９記載の回転式エアゾール製品。
【請求項１１】
前記エアゾール製品のバルブがバルブ内と容器内とを連通するディップチューブを有しており、
前記ディップチューブが屈伸自在で、かつ屈曲状態に維持できる折り曲げ部を備えており、先端に重りを設けており、
操作直後は、ディップチューブの先端が容器内の気相部と連通するようにディップチューブの折り曲げ部が屈曲しており、
気体のみの噴射により回転速度が上がった所定時間経過後に、重りに生じる遠心力でディップチューブの先端が容器内の液相部と連通するようにディップチューブの折り曲げ部が伸びる、
請求項９記載の回転式エアゾール製品。
【発明の詳細な説明】
【０００１】
【発明の属する技術分野】
本発明は回転式エアゾール製品に関する。さらに詳しくは、噴霧粒子が空間内で広範囲に拡散し、あるいは床面で広範囲に付着するなど、優れた散布性能を有する回転式エアゾール製品に関する。
【０００２】
【従来の技術】
従来より室内、車内などの空間や、畳、カーペットなどの床面を処理する殺虫剤、芳香剤などのエアゾール製品が用いられている。これらのエアゾール製品は噴霧処理する対象が広いため、噴霧粒子を広範囲に拡散させる必要がある。そのため、使用者が手に持って噴霧せず、床面などに載置しておき、使用者が待避している間に全量を噴射させる、いわゆる全量噴射型のエアゾール製品が用いられる。さらに噴射範囲を拡げるため、たとえば実公昭５６−１１９６２号公報、実公平５−３２４１号公報、実公平５−５９７３号公報、実公平５−３４７７９号のように、噴射の反作用でエアゾール製品を回転させ、広範囲に噴霧するようにしたものが提案されている。
【０００３】
【発明が解決しようとする課題】
前記従来の回転式エアゾール製品は、エアゾール製品全体が噴射の反作用で自動的に回転するため、エアゾール製品を中心として、その周囲の３６０度の範囲に拡がる。そのため、単に上向き、あるいは斜め上向きに噴射する定置式のエアゾール製品に比して、広い範囲に噴射させる利点がある。しかしこのような回転式エアゾール製品では、回転が途中からスムーズでなくなり、場合によっては内容物が残存しているにも関わらず、全量を噴射するまえに噴射自体が止まることがある。また、スムーズに回転している状態でも、回転させずに噴射させる場合に比して噴霧が遠方まで到達しないことに気づいた。すなわち回転式エアゾール製品では、エアゾール製品の近くでは散布濃度が高く、離れるに従って急激に濃度が低下するのである。
【０００４】
本発明者は、そのような回転式エアゾール製品に見かける回転状態の不備や途中で噴射がとまる問題を解決するべく、エアゾール製品を支持する軸受け機構を改良した結果、よりスムーズに回転するエアゾール製品を開発することができた。しかし、依然として内容物の残量が少なくなると、回転がスムーズでなくなったり、噴射が途中で止まる問題は解決されず、むしろひどくなる傾向が認められた。さらに回転がスムーズになると、噴霧の到達距離は一層短くなる傾向があることに気づいた。
【０００５】
本発明は上記の問題に鑑み、回転式エアゾール製品において、回転が最後までスムーズで、できるだけ最後まで噴射させることができるエアゾール製品を提供することを第１の技術課題としている。さらに本発明は、噴霧の到達距離を長くし、それにより、より広範囲に噴射しうる回転式エアゾール製品を提供することを第２の技術課題としている。
【０００６】
【課題に対する検討】
回転式エアゾール製品で回転や噴射が途中からスムーズでなくなる理由について実験・検討をすすめた結果、回転するエアゾール製品では、図１７に示すように、容器１０１内のエアゾール組成物１０２が遠心力Ｆにより容器１０１の外側に移動し、液面Ｐの中心部が低下することに気づいた。そして容器内のエアゾール組成物が少なくなったとき、エアゾールバルブ１０３に接続されるディップチューブ１０４の吸い上げ孔１０５の位置によっては噴射剤のみが先に噴射されてしまい、原液が残ってしまうのが上記の理由であると考えた。
【０００７】
また、噴霧の到達距離が短くなる理由は明らかでないが、噴射の反作用で回転するエアゾール製品のように、噴孔が後退しながら噴射する場合は、噴孔からの噴射速度が一定でも、空気に対する速度が相対的に低くなり、そのために遠くまで到達しないと考えられる。すなわち、殺虫剤などの人体に有害な有効成分は、長時間空間に漂っていると人が吸引するおそれがあるため、噴霧する粒子の大きさを所定の平均粒子径以上とし、一定時間内に床に落下したり、壁などに付着するようにしているが、相対速度が遅い場合は、遠くまで到達する前に床に落下すると考えられる。また、回転と共に噴孔の向きが連続的に変わるため、噴出による空気の流れが遠くまで達しないとも考えられる。
【０００８】
本発明者は、上記の仮説に基づき、意図的に回転速度を遅くさせて噴射させる実験を行ったところ、一定の回転数以下で回転させる場合は、遠心力が抑制されて最後まで原液をスムーズに吸い上げることができること、そして同時に噴霧が遠くまで達する事実を見出し、本発明を完成するに至った。
【０００９】
本発明のエアゾール製品（請求項１）は、噴孔を含む容器の一部または大部分が鉛直方向の軸心まわりに回転し、かつ、回転中に噴霧が持続するタイプのエアゾール製品であって、前記容器の一部または大部分をその回転中心に対して一方向に回転させる第１の噴孔と、逆方向に回転させる第２の噴孔とを備えており、容器の一部または大部分の回転数が３５回／分以下となるように、第１の噴孔からの噴射の反作用と第２の噴孔からの噴射の反作用に基づくトルクの差で行われることを特徴としている。前記回転数は、３０回／分以下とするのが好ましい。このエアゾール製品においては、前記噴射の反作用に基づくトルクの差が、噴孔の水平方向の角度の差、噴孔の垂直方向の角度の差、噴孔の回転中心からの距離の差、または、噴孔の内径の差に基づいているのが好ましい（請求項２）。また、第１、第２の噴孔の向きは、水平面に対して上向きに−１０〜７０度とするのが好ましい（請求項３）。すなわち空間噴霧の場合は、水平面に対して上向きに３０〜７０度とするのが好ましく、床面噴霧の場合は、水平面に対して上向きに−１０〜３０度とするのが好ましい。さらに、第１、第２の噴孔の噴射量が７〜３０ｇ／１０秒とするのが好ましい（請求項４）。
【００１０】
また、エアゾール組成物中の噴射剤の割合は２５〜９０重量％とするのが好ましく（請求項５）、３０〜８５重量％とするのがさらに好ましい。また、噴射開始から全量を噴射するまでの間に、４５〜７２０度回転するものが好ましく（請求項６）、用途によって４５〜９０度回転するようにものが好ましい。さらに操作から所定の時間経過後に、噴射または回転が開始するものが好ましい（請求項７）。そうでない場合は、操作から９０度回転するまでに５秒以上を要するものが好ましい（請求項８）。  
【００１１】
操作直後、バルブと容器内の気相部とが連通しており、気相部の気体のみを噴射し、気体のみの噴射により回転速度が上がった所定時間経過後に、バルブと容器内の液相部とが連通し、液相部の薬液の噴霧を開始するものが好ましい（請求項９）。そのようなエアゾール製品は、前記エアゾール製品のバルブがバルブ内と容器内の液相部とを連通するディップチューブと、バルブ内と容器内の気相部とを連通するベーパータップとを有し、前記バルブのディップチューブと連通する下穴を塞ぐ位置と、回転中心に関してその下穴を塞ぐ位置より遠いベーパタップを塞ぐ位置との間で移動自在に設けられる閉塞部材を備えており、操作直後はベーパータップから気相部にある気体がバルブ内に導入され、導入された気体の勢いにより前記閉塞部材が前記下穴を塞ぎ、気体のみの噴射により回転速度が上がった所定時間経過後に、前記閉塞部材に生じる遠心力で閉塞部材がベーパータップを塞ぐ位置に移動するものが好ましい（請求項１０）。さらに、前記エアゾール製品のバルブがバルブ内と容器内とを連通するディップチューブを有しており、前記ディップチューブが屈伸自在で、かつ屈曲状態に維持できる折り曲げ部を備えており、先端に重りを設けており、操作直後は、ディップチューブの先端が容器内の気相部と連通するようにディップチューブの折り曲げ部が屈曲しており、気体のみの噴射により回転速度が上がった所定時間経過後に、重りに生じる遠心力でディップチューブの先端が容器内の液相部と連通するようにディップチューブの折り曲げ部が伸びるものが好ましい（請求項１１）。
【００１４】
本発明のエアゾール製品（請求項１）は、回転数が３５／分以下であるので、容器内のエアゾール組成物の液面の中心部の低下がほとんどなくなり、そのため、ディップチューブを用いたエアゾール製品において、その吸い込み口が噴射途中で液面よりほとんど上部に出ず、噴射剤のみが噴射されることがない。さらに噴孔が噴射する方向と反対方向に移動する場合でも、噴射された噴霧粒子の空気に対する相対速度がそれほど低下せず、噴霧の到達距離が、エアゾール製品を回転させない場合の７０〜９８％程度である。そのため、充分遠くまで噴霧することができる。さらに回転数が３０／分以下の場合は、一層、液面の低下が少なく、また、噴霧粒子の到達距離が遠くなり、室内などに広く拡散させることができる。
容器をその回転中心に対して一方向に回転させる第１の噴孔と、逆方向に回転させる第２の噴孔とを備えており、容器の回転が、第１の噴孔からの噴射の反作用と第２の噴孔からの噴射の反作用の差で行われるため、大量の噴射量を維持しながら回転数を小さくすることができる。さらに一方の噴孔は前進しながら噴射するため、より遠方まで薬液が届く。また、両方の噴孔から噴射される薬液の届く距離が異なるので、容器から近い範囲から遠い範囲まで、広く分布させることができる。なお、一方の噴孔からの噴射量が減少すると、同時に他方の噴孔からの噴射量も減少するので、両者でバランスして全体として緩やかに速度が減じていく。
【００１５】
第１、第２の噴孔の向きを、水平面に対して上向きに−１０〜７０度とする場合（請求項３）は、エアゾール製品の上方から遠方まで、室内の空間あるいは床面などに広く拡散させることができる。すなわち、−１０度より低い（下向き）角度の場合は、エアゾール製品の近くの狭い範囲の床面にしか散布することができず、７０度を超える場合はエアゾール製品の上方だけで拡散し、遠方には到達しない。なお３０〜７０度の範囲にすると、室内空間などに広く拡散させることができるので、空間噴霧に好適である。すなわち３０度より低い角度にすると、床面付近で多く拡散し、空間内での拡散が少なくなる。逆に噴孔の向きを水平面に対して−１０〜３０度とする場合は、高い位置に拡散させず、床面に広く付着させることができるので、床面噴霧に好適である。すなわち３０度を超えると高い位置まで無駄に付着させることになる。
【００１６】
第１、第２の噴孔の噴射量を７〜３０ｇ／１０秒とする場合（請求項４）は、充分に遠方に到達させることができ、しかも空間内での噴射剤の濃度が急激に高くならない。すなわち７ｇ／１０秒より少ない場合は、充分に遠方まで到達せず、噴射の反作用で回転させる場合は充分に回転しない。逆に３０ｇ／１０秒を超える場合は、空間内での噴射剤の濃度が急激に高くなりすぎるため、危険である。また、噴射の反作用が大きくなるため、製品が安定して回転しにくくなる。
【００１７】
エアゾール組成物中の噴射剤の割合を２５〜９０重量％とする場合（請求項５）は、噴霧粒子の平均粒子径が適度であり、広範囲に拡散し、しかも遠方まで届く。すなわち２５重量％未満の場合は、噴霧粒子が粗くなるので、液状の粒子のまま落下しやすく、しかも噴射の速度が遅くなるため広範囲に拡散しない。また、噴射の反作用で回転させる場合は、噴射剤の量が少なすぎるので、回転しながら全量噴射させるのが困難である。逆に噴射剤の割合が９０％を超えると、噴霧粒子が細かくなりすぎ、遠方に届かない。また、噴射の勢いが強いため、反作用で回転させる場合は、回転数を３５回／分以下に抑制しにくくなる。さらに噴射剤の割合を３０〜８５重量％とする場合は、一層広範囲に拡散し、かつ、遠方に届く利点がある。
【００１９】
噴射開始から全量を噴射するまでの間に、４５〜７２０度回転するエアゾール製品（請求項６）では、回転による悪影響がほとんどなく、しかも望ましい範囲に充分に拡散させることができる。また、３６０度以下の角度、とくに４５〜９０度の回転で噴射が完了する場合は、たとえば、部屋のコーナ部に配置する場合など、噴霧したい範囲が制限されている場合に無駄な噴射を回避できる利点がある。さらに操作から所定の時間経過後に、噴射または回転が開始するもの（請求７）は、操作した使用者が噴射あるいは回転が開始するまでに使用者が待避できる。そのため、使用者に噴霧した薬液がかかったり、噴霧した薬液を吸引するおそれが少ない。
【００２０】
また、操作直後に回転および噴射が開始するものであっても、操作から９０度回転するまでに５秒以上を要するもの（請求項８）は、噴孔を使用者と反対側に向けた状態で操作することにより、噴射を確認することができる。しかも５秒以上使用者の側に向かないため、使用者が待避する余裕がとれ、使用者に噴霧した薬液がかかったり、吸引することが防止される。  
【００２１】
操作直後、バルブと容器内の気相部とが連通しており、気相部の気体のみを噴射し、気体のみの噴射により回転速度が上がった所定時間経過後に、バルブと容器内の液相部とが連通し、液相部の薬液の噴霧を開始するもの（請求項９）は、気体を噴射している間に使用者が待避すれば、殺虫剤などの有効成分を含む薬液を吸引するおそれがない。そして、回転速度が遅いときには気体のみがバルブを介して噴出し、回転速度が上がると液相部（薬液および液化ガス）がバルブを介して噴出する。
前記エアゾール製品のバルブがバルブ内と容器内の液相部とを連通するディップチューブと、バルブ内と容器内の気相部とを連通するベーパータップとを有し、前記バルブのディップチューブと連通する下穴を塞ぐ位置と、回転中心に関してその下穴を塞ぐ位置より遠いベーパタップを塞ぐ位置との間で移動自在に設けられる閉塞部材を備えており、操作直後はベーパータップから気相部にある気体がバルブ内に導入され、導入された気体の勢いにより前記閉塞部材が前記下穴を塞ぎ、気体のみの噴射により回転速度が上がった所定時間経過後に、前記閉塞部材に生じる遠心力で閉塞部材がベーパータップを塞ぐ位置に移動するエアゾール製品（請求項１０）では、回転が遅いときは閉塞部材が下穴を塞ぎ、ベーパータップを開放しているので、ベーパータップが気相部をバルブに連通する。そして回転速度が上がると、閉塞部材が遠心力で移動し、ベーパータップを塞ぎ、下穴を開放する。それにより気相部とバルブとの連通が塞がれ、ディップチューブおよび下穴を介してバルブが液相部に連通する。
【００２６】
【発明の実施の形態】
つぎに図面を参照しながら本発明のエアゾール製品の実施の形態について説明する。図１は本発明の範囲外の形態を示す一部断面正面図、図２ａおよび図２ｂは図１におけるノズルの角度を示す平面図および側面図、図３ａおよび図３ｂは図１における回転台の一部切り欠き要部平面図および縦断面図、図４ａおよび図４ｂはそれぞれ本発明の範囲外の形態を示す平面図、図４ｃは本発明の範囲外の形態を示す側面図、図５および図６はそれぞれ本発明にかかわる回転台の他の実施形態を示す要部断面図、図７は本発明の範囲外の形態を示す要部正面図、図８は本発明の範囲外の形態を示す一部切り欠き正面図、図９は本発明の範囲外の形態の作動状態を示す概略平面図、図１０ａは本発明のエアゾール製品に用いるバルブの一実施形態を示す断面図、図１０ｂはその作動状態を示す要部断面図、図１１は本発明のエアゾール製品に用いられるディップチューブの一実施形態を示す断面図、図１２ａおよび図１２ｂはそれぞれ本発明のエアゾール製品の一実施形態を示す平面図および側面図、図１３ａ〜ｃはそれぞれ本発明のエアゾール製品のさらに他の実施形態を示す平面図、図１４ａおよび図１４ｂはそれぞれ本発明の範囲外の形態を示す側面図および平面図、図１４ｃは本発明の範囲外の形態を示す要部断面図、図１５ａは本発明の範囲外の形態を示す一部断面側面図、図１５ｂはそのエアゾール製品の使用状態を示す一部断面側面図、図１５ｃはそのエアゾール製品の使用対象と共に示す斜視図、図１６は本発明のエアゾール製品の実施例の効果の測定方法を示す斜視図である。
【００２７】
図１に示す回転式エアゾール製品１０は、エアゾール製品１１と、そのエアゾール製品の底部に取り付けた回転台１２とからなる。エアゾール製品１１はノズル１３を除いて従来の全量噴射型のエアゾール製品と実質的に同じものであり、容器１４と、その容器の上部に固定したバルブ１５と、バルブのステム１６に嵌合させたボタン１７とを備えている。なお符号１６ａはバルブ１５の下部に連結したディップチューブである。容器１４は手に持って噴射するエアゾール製品に比して高さを低く、径を大きくしている。そのため、床面に載置して回転させながら噴射する場合に安定する。
【００２８】
容器１４の内部には、原液（有効成分を含む薬液）と噴射剤とからなるエアゾール組成物１８が充填されている。有効成分としては、室内や車内などの空間に噴霧するための、あるいは畳、絨毯、床、ソファ、カーテン、車のボディなどに付着させるための殺虫剤、害虫忌避剤、消臭剤、芳香剤、殺菌剤、洗浄剤などがあげられる。噴射剤としては、プロパン、ブタン、およびこれらの混合物などの液化石油ガス、ジメチルエーテル、フロン系液化ガス、およびこれらの混合物などの液化ガスが用いられる。また、加圧剤として、炭酸ガス、チッ素、亜酸化チッ素、圧縮空気などの圧縮ガスを用いてもよい。原液と噴射剤とは前記容器１４内に一緒に充填されており、バルブ１５を開いて両者が一緒に外部に放出されるときに、バルブ１５やステム１６内、あるいはノズル１３で噴射剤が気化される。そしてそのときに、原液が微粒子状にされ、噴射剤のガスとともに外部に霧状で噴出される。また洗浄剤などの場合、界面活性剤などの発泡剤を含有し、噴出時は霧状で噴出され、付着面で発泡するスプレーフォームとしてもよい。
【００２９】
したがって上記の噴射剤の割合が多く、原液の割合が少ない場合は、原液が細かい噴霧粒子になり、一方、噴射剤の割合が少なく、原液の割合が多い場合は噴霧粒子が粗くなる傾向がある。そのため前記作用の欄で説明したように、エアゾール組成物１８中の噴射剤の好ましい割合は、２５〜９０重量％であり、さらに好ましい割合は３０〜８５％である。
【００３０】
前記ボタン１７には、斜め上の方向で容器１４の半径から偏心した方向を向いているノズル１３を有する。図２ａに示すように、上から見たノズル１３の噴孔１３ａは、回転中心Ｏを中心とする円Ｃの接線方向で、回転方向（矢印Ｎ）に対して後方（矢印Ｋ）を向いている。そして垂直方向については、図２ｂに示すように、水平面Ｈに対する角度θ1 を約６０度上向きにしている。なおノズル１３の向きは水平面から上向きに−１０〜７０度とするのが好ましく、前記作用の欄で説明したように、空間噴射する場合の角度θu は約３０〜７０度とし、床面噴射の場合の角度θd は約−１０〜３０度とするのが好ましい。
【００３１】
ノズル１３の噴孔１３ａの大きさは、通常の空間噴霧あるいは床面噴霧の場合と同程度でよく、たとえば直径０．３〜１．０ｍｍ程度が好ましい。すなわち噴孔の直径が０．３ｍｍよりも小さい場合は噴射量が少なくなり、広範囲に拡散させることができない。また、この実施形態のように噴射の反作用で回転させる場合は、反作用が小さく、安定して回転しない。逆に１．０ｍｍより大きい場合は、噴射量が多くなり過ぎ、噴霧粒子の濃度が急激に高くなる。また、噴射の反作用で回転させる場合は、回転速度が速くなり過ぎて、所定の回転数の範囲にすることが困難となるからである。さらにノズル１３やバルブ１５の形態、エアゾール組成物中の噴射剤の割合および容器１４内の圧力によって定まる噴射量は、前記作用の説明のように、７〜３０ｇ／１０秒とするのが好ましい。
【００３２】
図１のエアゾール製品１０では、エアゾール組成物１８を全量噴射できるように、ボタン１７とバルブ１５との間には、ボタン１７を押し込んだとき、その押し込んだ状態を維持するための従来公知のロック機構が設けられている。そのようなロック機構は、たとえばボタン１７に設けた係止片１７ａと、そのボタンを揺動自在に支持するカバー１７ｂに設けた係合部１７ｃとによって構成しうる。
【００３３】
なおこの実施形態では、容器１４は、円筒状の胴部１９と、その上端に巻き締め部２０により固定したドーム２１と、胴部１９の下端に巻き締め部２２により固定した底部２３とからなる、いわゆるスリーピース缶である。前記バルブ１５はドーム２１の上部に形成されているビード部２１ａにクリンプされている。底部２３は中央が上方に湾曲しており、胴部と底部を結合する巻き締め部２２は環状を呈し、下方に突出している。さらに巻き締め部２２の外周は胴部１９とほぼ同径にしており、そのため巻き締め部２２のすぐ上は、環状凹部２４となっている。
【００３４】
前記回転台１２は、その巻き締め部２２と嵌合するリング状の回転部材３１と、回転部材３１の下方に配置されるリング状の支持部材３２と、両者の間に介在される複数のボール３３と、ボール同士の間隔を維持するリテーナ３４とからなる。
【００３５】
図３ｂに示すように、回転部材３１は筒状の外周壁３６と、その外周壁３６の内側に突出する円環状の押さえ部３７と、その押さえ部３７の上面から立ち上がる筒状の突起３８とを備えている。外周壁３６の上部と、押さえ部３７の上面と、突起３８とは、図１の容器１４の下端の巻き締め部２２と嵌合する嵌合溝を形成している。外周壁３６の上部の内面には、図１の容器１４の環状凹部２４と弾力的に係合する係合突起３９が突出している。係合突起は３９は周方向に連続していてもよく、所定の間隔で並ぶ独立した突起としてもよい。押さえ部３７の下面には、ボール３３が転動する環状溝４０が形成されている。その環状溝４０は転動面である。また外周壁３６の下部は、ボール３３を保護するための外筒３６ａである。
【００３６】
前記支持部材３２は、円環状の板体からなる底板４４と、その底部の内側に設けられる環状の段部４５と、段部の内端から立ち上がる内筒４６とを有する。段部４５の上面にはボール３３が転動する環状溝４７が形成されている。底板４４の外周は回転部材３１の外周壁３６より外側に突出している。回転部材３１の外周壁３６の下端は、回転台１２を組み立てた状態で段部４５よりも下がっており、外周壁３６の内面は、段部４５の外周面の外側に隙間を介して面している。さらに支持部材３２の内筒４６は回転部材３１の押さえ部３７より上方に延びており、その上端の外面には押さえ部３７の上面と隙間を介して係合する爪４８が設けられている。爪４８は、たとえば図３ａに示すように、円周上の４箇所に設けられている。それらの爪４８は外面をテーパ面として、回転部材３１の内側に挿入し易くしている。
【００３７】
前記回転部材３１および支持部材３２は、合成樹脂や金属などで成形することができる。合成樹脂の場合は軽量で錆の心配がない。また容器１４の巻き締め部２２と回転部材３１の嵌合溝との嵌合が密になる。なお支持部材３２の底板４４の底面に、すべり止めとして摩擦係数が高いシール４９を貼り付けたり、合成樹脂層を設けてもよい。それにより安定して回転することができる。なお、両面接着シートや粘着シートを貼り付けてもよく、その場合は床面などにしっかりと固定しうる。それらの場合は通常は剥離紙を貼着しておく。
【００３８】
前記ボール３３は通常のボールベアリングに用いる鋼球が好ましいが、他の金属製のボールでもよく、合成樹脂であってもよい。合成樹脂の場合は滑りを安定させるために潤滑剤を合成樹脂に混合するのが好ましい。ボール３３の個数は特に限定はない。図３ａの場合は８個設けているが、３個以上であればよく、４〜１６個程度、とくに６〜１２個程度が好ましい。ボール３３に代えて、円柱状あるいは円錐台状のローラを用いてローラベアリングの構造としてもよく、また、針状のローラを用いてニードルベアリングのようにしてもよい。
【００３９】
前記リテーナ３４は図３ａに示すように、ボール３３が入る部位に貫通孔５０を設けた環状の板材であり、金属あるいは合成樹脂などで成形する。図３ａの場合は、貫通孔５０を設けた部位を補強するため、内側および外側にそれぞれ突出部５１を設けて他の部位に比して幅を広くしている。
【００４０】
上記の回転台１２の回転の摩擦係数は、回転部材３１や支持部材３２およびボール３３の材質や成形精度、嵌合精度、潤滑剤を使用する場合はその潤滑剤の種類などによって異なるが、本実施形態では、ノズル１３からエアゾール組成物が噴射したとき、その反作用で回転するときの回転数が３５回／分以下で、しかもスムーズに回転するように定める。なお回転数の下限はとくに限定されないが、通常は全量を噴射する前に１回転以上、すなわち３６０度以上回転するようにする。ただし、トイレの消臭剤や部屋のコーナ部の入口から内部へ噴射する場合（図９参照）など、噴射方向の範囲が制限されている場合は、それ以下であってもよい。
【００４１】
また、回転台１２以外に、容器１４に羽根を付けて空気に対する流体摩擦抵抗を大きくするすることにより（図７参照）、エアゾール製品回転数を抑制することもできる。また容器１４の内部にエアゾール組成物の回転を邪魔する部材を設けることにより、エアゾール組成物の回転を抑制して、液面の中央が下がるのを防ぐことができる。ただし内圧を減少させたり、ノズル１３の噴孔を小さく絞るなどにより、ノズル１３から噴出する噴射速度や噴射量を少なくすることによって回転数を減ずる場合は、噴射粒子の到達距離が遠くに達しないため、好ましくない。すなわち、回転させない状態で噴射させたときの噴霧粒子の到達距離が１〜５ｍ程度となるような噴霧条件を維持しながら、回転を意図的に抑制させるのが好ましい。なお、このように噴射量を減少させることにより回転数を減少させる場合でも、遠心力が減ずるので、容器１４の内部の液面（図１の想像線Ｐ）の中央部がそれほど低下しない。そのため途中でディップチューブ１６ａの先端が液面Ｐから出て、噴射剤だけが抜けるという問題は解消しうる。
【００４２】
上記のごとく構成される回転式エアゾール製品１０を使用するには、まず室内の床面などの上に置き、図１のボタン１７を押し下げる。そうするとボタン１７の係合片１７ａがカバー１７ｂの係合部１７ｃに係合して押した状態を維持し、ノズル１３からエアゾール組成物を噴出する。それにより反作用でエアゾール製品１１および回転部材３１はボール３３の列を転動させながら、噴出方向と反対方向に回転し始める。なお図２から分かるように、反作用Ｆは斜め下向きに働くため、反作用の水平成分（Ｆ・cos θ）のみが回転に寄与する。そのため角度θが大きい方が回転速度が遅くなる。他方、垂直成分（Ｆ・sin θ）はエアゾール製品１０を下向きに押すだけである。したがって回転に寄与せず、むしろ摩擦を増大させて回転を妨げる。エアゾール製品１０を回転させようとするトルクは、前記反作用の水平成分と回転中心Ｏから噴孔１３ａまでの距離Ｒとの積により得られる。そしてそのトルクにより、回転が次第に速くなり、回転に対する抵抗とトルクとがバランスした時点でほぼ等速回転となる。したがって距離Ｒが小さい方が回転速度が遅くなる。
【００４３】
そして本実施例でも、回転数は３５回／分以下になるように設定されているので、噴孔の移動速度はそれほど速くなく、噴射剤の噴出力は噴霧を遠くまで運ぶために多くが費やされる。それにより噴霧された薬液が遠くまで到達する。しかも噴射孔が回転しながら噴出するので、空間内に広範囲に拡散される。また、容器１４内のエアゾール組成物１８の液面の中央部がそれほど低くならないので、途中で噴射剤のみが抜けることがなく、最後までほぼ全量を噴射させることができる。
【００４４】
他方、回転中はエアゾール製品１０の重量は巻き締め部２２にかかり、複数のボール３３を介して支持部材３２によって支持される。そのため安定して回転する。回転に伴って容器１４内のエアゾール組成物は重量減少しながら外周方向に移動したり揺れたりするが、広い範囲に分散しているボール３３の列により、安定して支持される。
【００４５】
エアゾール組成物の残量が少なくなるとエアゾール製品１０の重量が少なくなるため、回転に対する摩擦抵抗が減る。しかし液化ガスが連続して噴射されるため、液化ガスの気化が容器内部で繰り返され、容器内部のエアゾール組成物は冷却される。その結果、容器１４の内圧が減少していくため、回転はそれほど速くならず、むしろ回転数が減る。そのため、途中で噴射剤のみが抜けることがない。なお上記のように噴射の反作用で回転させる場合は、噴射の開始直後や残量が少なくなったときは回転数が遅いが、本発明における回転数が３５回／分以下の条件は、安定して回転しているときに（好ましくは回転の始めから終了まで）満たしている必要がある。
【００４６】
図４ａに示すボタン１７は図１のものとほぼ同じであるが、ノズル１３の噴孔１３ａと回転中心Ｏとの距離Ｒが２〜１０ｍｍと小さい。そのため噴射力が同程度であっても、エアゾール製品を回転させようとするトルクが小さくなり、回転速度が遅い。なお斜め上向きである点は、図２ｂと同じである。また、図４ｂのように噴孔１３ａと回転中心Ｏとが離れていても、噴孔１３ａが外向きになるように角度を付ければ、トルクの腕に相当する距離Ｒａが小さくなるため、実質的に図４ａのボタン１７と同じく、回転速度を低くすることができる。
【００４７】
図４ｃに示すボタン１７は、床面噴霧用のものであり、ノズル１３の噴孔１３ａの水平面Ｈに対する角度θ1 が小さく、ほぼ水平に近い。このように水平に近い場合は、噴射の反力がそのまま回転させる力になるので、図４ａあるいは図４ｂのように噴孔１３ａを回転中心Ｏに近く設定するか、噴孔の向きを外向きにするのが好ましい。
【００４８】
図５に示す回転台１２は爪４８が弾性変形が可能な可撓片６０の上端に設けられており、可撓片６０は回転部材３１の押さえ部３７の端部３７ａに常時弾力的に当接している。可撓片６０の数は、４〜１２枚程度が好ましい。このものは回転部材３１が回転するときは、可撓片６０との摩擦に打ち勝ちながら回転することになる。それによって回転速度が遅くなる。すなわち可撓片６０は回転部材３１に対するブレーキ手段となっている。
【００４９】
図６に示す回転台１２は、回転部材３１の外周壁３６の下部の外筒３６ａの内面に磁石６１が埋め込まれており、ボール３３は磁石によって引きつけられる鋼球である。そのためボール３３はその磁石６１により外向きに引かれ、リテーナ３４との間に摩擦力が生ずる。そしてその摩擦力により、回転部材３１の回転速度が低下する。すなわち磁石６１およびボール３３はブレーキ手段を構成している。さらにこのものは、回転部材３１の回転が速くなるほど、遠心力でボール３３が外向きに移動しようとする。そのため磁石による吸着力が加速度的に増大する。そのため回転速度があがるほど、ブレーキ力が増大するので、回転数は低い範囲で安定することになる。
【００５０】
図９に示すエアゾール製品１１は、容器１４の上部、とくにドーム２１の周囲に複数枚の羽根６３が放射状に取り付けられている。それらの羽根６３は容器１４が回転するときの空気抵抗を増大させ、回転速度を低下させる。そして空気抵抗は回転数が高くなるほど大きくなる。この羽根６３もブレーキ手段となり、エアゾール製品１１の回転数を３５回／分以下に抑制するのに寄与する。また羽根６３の角度を回転方向に対していくらか水平あるいは斜めにする場合は、噴霧されて落下してくる薬液を再度拡散させることができ、空間を長時間処理したい場合などに好適である。
【００５１】
図７に示す回転式エアゾール製品６５では、回転台１２に回転部材３１を回転させる駆動機構６６が設けられている。このような駆動機構６６は、たとえば減速機付きのモータＭ、減速機の出力軸６７に固定されて回転部材３１の内面と当接するローラ６８などによって構成することができる。なお回転部材３１を固定部材３２よりも内側に設けて回転させやすくしている。減速機付きのモータＭに代えて、ゼンマイや弾み車など、他の回転駆動要素を採用することもできる。この実施形態では、回転力はノズルの噴射の反作用に依らないため、ノズル１３を回転中心から偏心させる必要がない。また、場合により、回転する方向に向かって噴孔を向けることもできる。さらに独自の回転駆動要素を備えているので、回転速度を比較的自由に設定しうる。そのため、たとえば容器１４の内部のエアゾール組成物の全量を噴射する間に３６０度、すなわち１回転だけ回転するもの、あるいは２〜３回転だけ回転するものなど、回転数がきわめて少ないものも構成することができる。ただし噴霧の開始時と容器内の残量が少なくなったときとでは、噴射量が異なるため、できるだけ均一に噴霧するには、全量噴射をする間に２回転以上、とくに数回転以上回転させるのが好ましい。
【００５２】
この図７の回転式エアゾール製品６５では、ボタン１７を押すと同時に、あるいはその直後にモータＭを回転させ、容器１４を回転させながら噴射させて使用する。またタイマーを設けて、スイッチを入れた後、数秒後に回転や噴射を開始させることもできる。また、回転を噴射の反作用で生じさせる場合は、回転を拘束するロック機構を設け、噴射の開始時に同時にタイマーを働かせ、所定時間経過後にロックを解除させるようにしてもよい。また、リモコン操作により、使用者が待避した後、遠隔操作で噴射を開始させたり、回転を開始させたり、回転のロックを解除するようにしてもよい。また、タイマーとモータを組み合わせることにより、始めの５秒間の間に９０度以下の角度だけゆっくりと回転させ（回転数で３回／分以下）、その後は普通の３５回／分以下の回転数で回転させるようにすることもできる。このようにすると、ノズルが使用者の方に向くまでの間に待避することができるので、使用者に噴霧された薬液がかかったり、吸引したりすることを防ぐことができる。前記タイマーやリモコンは、電気式および機械式のいずれも採用しうるが、モータＭを用いる場合は電気式のものが好ましい。なお可燃性の噴射剤を用いるばあいは、電源には電池を用いるのが好ましい。
【００５３】
なお前記いずれの回転式エアゾール製品においても、ボタンの押し操作をした後、数秒後に噴射が開始する機構を設けるのが好ましく、それにより使用者が待避する時間をとることができる。そのような機構としては、エアゾール製品の噴射通路（ステム孔から噴射孔の間）に、空気や粘性流体、弾性体などから得られる抵抗により噴射開始を遅らせる従来公知の機構を設けることにより、実現するできる。ただし前述の操作後、５秒間は９０度以下の角度だけ回転するエアゾール製品については、操作の開始直後から噴射を始めるようにしてもよい。使用者に噴霧がかからず、噴射を確認してから待避することができるからである。
【００５４】
図８は容器１４の内部のエアゾール組成物の全量を噴射する間に９０度だけ回転する回転式エアゾール製品７０を示している。このものは部屋７１の扉があるコーナ部に配置して噴射させると、ノズル１３の向きが片側の壁７２から他方の壁７３の間で回転する間にエアゾール組成物をすべて噴射させることができる。また、このものは使用者の方にノズル１３が向くことがないので、安心して噴霧させることができ、扉から直ちに待避することができる。
【００５５】
また図７の回転式エアゾール製品６５において、９０度回転するとリミットスイッチが働いてモータＭの回転を逆にする回路を設けることもできる。その場合は９０度の角度範囲でエアゾール製品１１が往復回転運動をするので、図８のように部屋７１のコーナー部に設置して使用することができ、しかもその範囲内でほぼ均一に噴霧させることができる。なお、９０度以上の角度、たとえば１８０度〜２７０度、あるいは９０度以下の角度、たとえば３０〜６０度の範囲で往復回転させるように構成することもできる。
【００５６】
図７のエアゾール製品のように、電気的あるいは機械的な駆動機構により回転させる場合は、噴射させずに回転させることができるが、噴射の反作用を利用する場合は、操作後、気体のみを噴射させて回転させ、回転数が高くなった時点で遠心力の作用で液体を噴霧するようにすることもできる。図１０および図１１はそのようなエアゾール製品あるいはバルブの実施形態を示している。
【００５７】
図１０ａに示すバルブ１５Ａは、ハウジング７５の下部に中心部から半径方向外側に延びる円筒状の空所７６が形成されている。その空所７６の端部はベーパータップ７７を介してハウジング７５の外部と連通しており、上部は連通孔７８を介してハウジング７５の内部と連通している。そして空所７６の下部で、ハウジング７５の中心に相当する位置には、ディップチューブ１６ａと連通する下穴７９が形成されている。さらに空所７６内には閉塞部材としてボール８０が移動自在に収容されている。
【００５８】
このバルブ１５Ａを採用したエアゾール製品では、ステム１６を押し下げた噴射開始時、ベーパータップ７７から気相部にある液化ガスの気体や圧縮ガスが導入され、導入された気体の勢いによりボール８０が中心部に移動し、下穴７９を閉鎖する（図１０ａ参照）。それにより気体のみの噴射でエアゾール製品が回転する。そして回転数が上がると、遠心力でボール８０が外側に移動する（図１０ｂ参照）。それによりベーパータップ７７が閉鎖され、下穴７９が開放される。それによりエアゾール組成物（液相部）がディップチューブ１６ａを介してハウジング７５内に導入され、霧状の噴射が行われる。
【００５９】
このように図１０ａ、図１０ｂのバルブ１５Ａを備えたエアゾール製品では、噴射の開始時には液相部を噴射せず、気相部にある気体のみを噴射するので、使用者が殺虫剤などを浴びるおそれが少ない。なお、原液と噴射剤とからなるエアゾール組成物に、チッ素ガスや炭酸ガスなどの人体に無害な圧縮ガスを加圧剤として充填しておくのが好ましい。その場合は噴射の開始時にまず加圧剤が噴射されるのでさらに安全である。このものも回転してしばらくしてから、すなわちボール８０が外側に移動してからエアゾール組成物が噴射される。
【００６０】
図１１に示すエアゾール製品８１は、ディップチューブ８２が、屈伸自在で、かつ屈曲状態に維持できる折り曲げ部８３を備えており、先端に重り８４を設けている。そして使用の開始前には、実線で示すように、ディップチューブ８２の先端を気相部８５に出した状態で維持させている。このような折り曲げ部８３は、たとえば蛇腹状に形成し、強く曲げるなどにより実現しうる。なお、弱いバネ片などで折り曲げた形状を維持するようにしてもよい。
【００６１】
このものは最初はディップチューブ８２の先端が気相部８５と連通しているので、ステム１６を押し下げると、まず気体のみがディップチューブ８２から噴出され、バルブ１５およびステム１６を介して外部に噴出する。それによって噴射の反作用で容器が回転を開始する。回転数がある程度高くなると、重り８４に生ずる遠心力で、想像線で示すように、ディップチューブ８２の先端が液相部８６に入る。それによりエアゾール組成物がディップチューブ８２の先端から吸い込まれ、ステム１６を介して外部に噴出される。
【００６２】
図１などの実施形態ではノズルあるいは噴孔が１本あるいは１個である。しかしノズルの本数や噴孔の個数はそれらに制限されず、複数本あるいは複数個設けることができる。ただし複数設ける場合は、回転中心まわりに軸対称に配置するのが好ましい。このように軸対称に設けると、偏心している噴孔から噴射されるエアゾール組成物の反作用力の内、平行移動の成分が互いに相殺し、回転させようとする成分のみが残る。そのため、一層安定して回転し、転倒したり、一方向に移動するおそれが少ない。
【００６３】
図１２ａおよび図１２ｂに示す回転式エアゾール製品８８は、ボタン１７が容器１４に対して垂直方向の軸心（回転中心）Ｏまわりに回転自在に設けられている。ボタン１７は横に長く、ボタン１７の同じ側に、回転中心ＯからそれぞれＲだけ離れた位置に噴孔１３ａを備えたノズル８９ａ、８９ｂが設けられている。ただし図１２ｂに示すように、第１のノズル８９ａの噴孔１３ａは水平面に対してある角度θ1 だけ上を向いており、第２のノズル８９ｂの噴孔１３ｂは水平面に対してそれより大きい角度θ2 だけ上を向いている。そのため、第１のノズル８９ａからの噴射による反作用の水平方向の成分Ｖ１はｆ・ｃｏｓθ1 であり、第２のノズル８９ｂからの噴射による反作用の水平方向の成分Ｖ２はｆ・ｃｏｓθ2 である。そのためボタン１７は、両者の差（ｆ・ｃｏｓθ1 −ｆ・ｃｏｓθ2 ）に基づいて、時計方向（矢印Ｓ１方向）にゆっくりと回転する。
【００６４】
すなわち片方のノズルだけであれば、噴射による反作用の水平方向成分と、回転中心Ｏから噴孔までの距離Ｒの関がトルクとして作用するが、この実施形態では両方のノズルのトルクが逆方向に働くため、両者の差だけが回転させるために寄与する。そのため回転速度は小さく、噴射される薬液は噴孔から遠くまで達する。また、第１のノズル８９ａからの噴射物Ｂ１は従来のものと同じく、進行方向に対して後方に噴射されるが、第２のノズル８９ｂからの噴射物Ｂ２は、進行方向に向かって前側に噴射されることになるので、噴射距離が一層長くなる。また、両方のノズル８９ａ、８９ｂからの噴射量は、１個のノズルの２倍であるから、噴射量自体が多い。なお、回転速度によって変わるが、第１のノズル８９ａからの噴射物Ｂ１は低い角度で噴射されるので、遠くまで達し、第２のノズル８９ｂからの噴射物Ｂ２は高い角度で噴射されるので、上の方まで達し、かつ水平距離は短い。このように２個のノズル８９ａ、８９ｂからの噴射は、たがいに補って、部屋内に広い範囲で噴射することができる。
【００６５】
なお図１２の場合は、２個のノズル８９ａ、８９ｂの水平方向の角度を変えることにより、トルクに寄与する反作用の大きさを左右で変えているが、ノズルの噴孔の内径を変えるなど、他の方法によって左右の反作用に差を与えることもできる。たとえば図１３ａに示す回転式エアゾール製品９０は、第１ノズル８９ａと第２ノズル８９ｂの噴孔の大きさ、水平方向に対する角度は同じであるが、回転中心Ｏからの距離Ｒ１、Ｒ２が異なる。この場合も噴射の反作用に基づくトルク（ｆ×Ｒ）が異なるので、両者の差に基づいてゆっくりと矢印Ｓ１方向に回転する。また図１３ｂの回転式エアゾール製品９０の場合は、回転中心Ｏからの距離Ｒは同じで、水平面に対する角度も同じであるが、噴孔と回転中心を結ぶ線に対する噴孔の水平方向の角度θ３、θ４が異なる。そのため、実質的な回転中心Ｏからの距離Ｒ、Ｒ２が異なり、両者のトルクに差が生ずる。それによって両者の差に基づいて、矢印Ｓ１方向にゆっくりと回転する。
【００６６】
図１２および図１３ａ、図１３ｂの実施形態では、ボタン１７の同じ側に噴孔を設けているので、使用者は噴孔を使用者と反対側に向けた状態で噴射を開始させ、噴孔が使用者側に回転してくる前に、待避することができる利点がある。しかしタイマー式など、使用者が逃げる時間が充分にある場合は、図１３ｃに示すように、ボタン１７の互いに反対側に２個のノズル８９ａ、８９ｂを設けることができる。その場合も、噴孔の水平方向の角度を変えたり、垂直方向の角度を変えたり、あるいは回転中心からの距離を変えることにより、噴射の反作用に基づくトルクに差を設ければ、それらの差によってゆっくりとボタン１７を回転させることができる。
【００６７】
なお、前述の実施形態では、ボタン１７を回転自在とし、そのボタン１７に２個のノズル８９ａ、８９ｂを設けているが、図１の回転式エアゾール製品１０のように、ボタン１７を容器１４に対して回転させず、エアゾール製品１１ごと回転させるようにしても同じ作用効果を奏する。さらに噴射の反作用を利用せずに、別個にモータなどの回転駆動機構を設ける場合でも、回転方向に対して後ろ向きの第１のノズルと、前向きの第２のノズルを設ける場合は、前後のノズルからの噴射の空気に対する相対速度に差が生ずるので、噴孔からの到達距離に差が生ずる。それによって、第１のノズルからの噴射物はエアゾール製品から近い円環状の範囲に薬液を散布し、第２のノズルからの噴射物が遠い円環状の範囲に薬液を散布する。したがって薬液を散布する範囲の全体が拡がる。それらの場合も、第１のノズルの噴孔の水平方向あるいは垂直方向の角度と、第２のノズルの水平方向あるいは垂直方向の角度を変えて、各ノズルが担当する噴霧範囲を異ならせるようにすることができる。それにより、一層、部屋の中の広い範囲に薬液を散布することができる。
【００６８】
図１４ａに示す回転式エアゾール製品９０は、ボタン１７の上端に、可撓性および弾力性を有するチューブ９１の一端を取り付けており、そのチューブ９１の自由端に噴霧用のノズル１３を取り付けている。またチューブ９１とステム１６とはボタン１７の内部で連通している。さらにチューブ９１の先端近辺には、重り９２が取り付けられている。また図１４ｂに示すように、チューブ９１に対して回転方向の反作用を与えるべく、チューブ９１は重り９２の下部の近辺の符号９３の位置で、いくらか横向きに角度θ５だけ屈曲されている。記チューブ９１はたとえば合成樹脂製のものが用いられる。また弾力性を強くするため、チューブの内部にバネ鋼製の線材を埋め込んでもよい。その線材は真っ直ぐであってもよく、また、コイル状に巻かれていてもよい。
【００６９】
さらにこの実施形態では、ボタン１７に噴射状態に維持する突起９４を設けると共に、容器１４の肩部に肩カバー９５を取り付け、その肩カバー９５に突起９４と係合する段部９６を形成している。そのため、ボタン１７を押し込んでいくから回動させると、突起９４が段部９６と係合して噴射状態を維持する。なお容器１４の底部には回転台１２を取り付けている。
【００７０】
このものは回転の初期にはチューブ９１はその弾力性により、ほぼ真っ直ぐ上に向かって延びており、噴孔からの噴射の反作用はほぼ下向きに働く。そのため噴射に基づくトルクは小さい。そのためノズル１３は下向きにいくらか屈曲しながらゆっくりと回転する。そして回転し始めると、ノズル１３および重り９２に加わる遠心力で、想像線のように根元部９１ａから外向きに撓んでくる。そのため、ノズル１３の回転中心Ｏからの距離Ｒがしだいに増加し、同時に噴孔の向きも水平に近づいていく。それにより一層、反作用に基づく回転させるトルクが増加し、さらに傾きが大きくなっていく。このようにこの回転式エアゾール製品９０では、噴射の初期には速度が遅く、上向きに噴射し、噴射が進むにつれて回転速度が速く、横向きに噴射していく。したがって回転式エアゾール製品９０の上方から部屋の遠い位置まで、広く薬液を散布することができる。
【００７１】
なお、このものも図１３ｃのようにチューブの両側にノズル８９ａ、８９ｂを設け、両者のトルクの差で回転させるようにしてもよい。さらに図１のような回転台１２とエアゾール製品１１とを組み合わせた回転式エアゾール製品や、モータなどの別個の回転駆動機構を備えた回転式エアゾール製品にも適用することができる。なお、前記実施形態では重り９２を用いているが、チューブ９１の弾力性が弱い場合は、ノズル１３自体の重量あるいはチューブ９１自体の重量でも、ほぼ同様の作用を奏することができる。その場合は、重り９２を省略することができる。
【００７２】
図１４ａに示す回転式エアゾール製品９０は、チューブ９１の可撓性により根元部９１ａから撓むようにしているが、図１４ｃに示すように、チューブ９１自体は剛性を有する金属パイプなどとし、その根元部とボタン１７とを可撓性を有する連結チューブ９７で連結するようにしてもよい。その場合は、コイルバネ９５などで、チューブ９１の根元部を真っ直ぐ上向きに戻るように付勢するのが好ましい。この場合、回転速度が遅くなってくるとチューブ９１は再び上向きに戻る。すなわち噴射開始直後は上向きから水平方向にノズル１３が移動し、さらに容器１４内のエアゾール組成物が少なくなり、回転が遅くなると、ノズル１３は水平から上向きに戻る往復運動を行う。そのため薬液を広範囲に散布することができる。なお連結チューブ９７に代えて、ロータリジョイントでチューブ９１を回転自在に連結することもできる。さらに金属と合成樹脂のように、チューブ９１とチューブを連結する部材とを異なる材質で構成することにより、チューブ９１自体を部材に対して回転させることもできる。
【００７３】
図１５ａに示すエアゾール製品９０はチューブ９１を２本、ボタン１７に対して横向きに、１８０度離れた位置に取り付けている以外は、図１４ａのものと実質的に同じである。チューブ９１の先端には重りを兼ねるノズル１３が設けられている。また、突起９４および肩カバー９５についても、図１４ａの場合と同じである。各ノズル１３の噴孔１３ａは、エアゾール製品１１を同じ方向にトルクを与える向きに設けてもよく、逆向きのトルクを与える向きに設けてもよい。後者の場合は、その噴射の反作用の差で回転させるべく、噴射力に差を与えるようにする。
【００７４】
この回転式エアゾール製品９０では、回転していない状態ではチューブ９１は途中から下向きに湾曲している。そして図１５ｂに示すようにボタン１７を押していくらか回動させ、突起９４を肩カバー９５の段部９６に係合させて噴射させると、噴孔１３ａからの噴射の反作用で、あるいは反作用の差で、回転台１２の上のエアゾール容器１１全体が回転を始める。そして初期にはノズル１３の噴孔１３ａが斜め下側を向いており、回転式エアゾール製品９０の比較的近くに薬液を散布する。そして回転が速くなると、遠心力により両方のチューブ９１が延び、そのため噴孔１３ａが横方向を向くようになる。そのため噴孔１３ａから噴射される薬液は遠くの方まで到達するようになる。
【００７５】
また、残量が少なくなって内圧が低下すると、回転が遅くなる。このようにこの回転式エアゾール製品９０では、チューブ９１が下を向いたり横方向に伸びたりすることにより、回転式エアゾール製品９０が置かれている場所の近くから遠くまで、まんべんなく薬液を散布することができる。そのため絨毯や床などを処理する薬剤、たとえば殺虫剤や消臭剤を散布するために使用したり、自動車のボディに洗浄剤を散布するために使用することができる。自動車のボディに洗浄剤を散布する場合は、たとえば図１５ｃに示すように、上記の回転式エアゾール製品９０を自動車９８の屋根に乗せた状態で、エアゾール製品を回転させながら内容物を噴射させるようにする。それによりボディの表面の全体に洗浄剤を散布することができる。
【００７６】
前記実施形態では、エアゾール製品として全量噴射型のものを示しているが、本発明の回転式エアゾール製品はそれに限らず、たとえば、一時的に車内やトイレに消臭剤を噴霧するものなど、定量噴射型あるいは一定時間噴射型のものなどにも採用しうる。
【００７７】
【実験例】
つぎに実験例をあげて本発明の回転式エアゾール製品の効果を説明する。下記の表１の２種類のエアゾール組成物を、満注量が１８０ｍｌのブリキ製のスリーピース缶（全水準共通）と表２のバルブおよびボタンを備えた２種類のエアゾール容器に充填して４種類のエアゾール製品を製造した。
【００７８】
【表１】
0004832661.tif 000002
【００７９】
【表２】
0004832661.tif 000003
【００８０】
上記の各エアゾール製品を回転台に固定し、表３に示す回転数で回転させながら噴射させ、そのときの空間での拡散性および床面への付着性を調べた。その結果を表３に合わせて示す。なお、試験は図１６に示すような広さが４ｍ×４ｍ、高さが２．５ｍの部屋にて、部屋の中心部に回転台およびエアゾール製品１１を置いて行った。部屋内は無風状態とした。
【００８１】
【表３】
0004832661.tif 000004
【００８２】
［評価方法］  図１６に示す部屋の中央にエアゾール製品を設置し、製品から水平距離１ｍ、１．５ｍ、２ｍで、高さ０ｍ、１．５ｍ、２ｍの場所にエタノールと反応する紙を置き、噴射完了後反応の有無を確認した。
【００８３】
空間での拡散性
製品からの水平距離１ｍ、１．５ｍ、２ｍ、高さ１ｍ、１．５ｍ、２ｍの場所で反応の有無を確認した。試験結果の評価は次の通りである。
◎：すべての場所で反応が認められた。
○：水平距離１．５ｍ、高さ１．５ｍ以内での反応が確認された。
△：水平距離１ｍ、高さ１ｍの場所のみで反応が確認された。
×：反応確認できず。
【００８４】
床面での付着
製品からの水平距離１ｍ、１．５ｍ、２ｍ、高さ０ｍの場所で反応の有無を確認した。試験結果の評価は次の通りである。
◎：すべての場所で反応が認められた。
○：水平距離１ｍおよび１．５ｍの場所で反応を確認した。
△：水平距離１ｍの場所でのみ反応を確認した。
×：反応確認できず。
【００８５】
上記の結果から回転数が３５回／分以下であれば、空間噴霧および床面付着のいずれの場合も「○」以上の評価であり、比較的広い範囲に拡散されていることが分かる。さらに３０回／分以下であれば、ほとんどの場合で「◎」の評価であり、広い範囲に拡散されていることが分かる。とくに１０回／分の場合は、すべてについて「◎」であり、回転速度を遅くする方が拡散範囲が広がることが分かる。また他方、回転数が４０回／分の場合は、ほとんど「△」か「×」であり、充分に遠くまで拡散されないことが分かる。
【図面の簡単な説明】
【図１】本発明の範囲外の回転式エアゾール製品の形態を示す一部断面正面図である。
【図２】図２ａおよび図２ｂは図１におけるノズルの角度を示す平面図および側面図である。
【図３】図３ａおよび図３ｂは図１における回転台の一部切り欠き要部平面図および縦断面図である。
【図４】図４ａおよび図４ｂはそれぞれ本発明の範囲外の形態を示す平面図であり、図４ｃは本発明の範囲外の形態を示す側面図である。
【図５】本発明にかかわる回転台の他の実施形態を示す要部断面図である。
【図６】本発明にかかわる回転台のさらに他の実施形態を示す要部断面図である。
【図７】本発明の範囲外の回転式エアゾール製品の形態を示す要部正面図である。
【図８】本発明の範囲外の回転式エアゾール製品の形態を示す一部切り欠き正面図である。
【図９】本発明の範囲外の回転式エアゾール製品の形態の作動状態を示す概略平面図である。
【図１０】図１０ａは本発明のエアゾール製品に用いるバルブの一実施形態を示す断面図、図１０ｂはその作動状態を示す要部断面図である。
【図１１】本発明のエアゾール製品に用いるディップチューブの一実施形態を示す断面図である。
【図１２】図１２ａおよび図１２ｂはそれぞれ本発明のエアゾール製品の一実施形態を示す平面図および側面図である。
【図１３】図１３ａ〜ｃはそれぞれ本発明のエアゾール製品の他の実施形態を示す平面図である。
【図１４】図１４ａおよび図１４ｂはそれぞれ本発明の範囲外のエアゾール製品の形態を示す側面図および平面図、図１４ｃは本発明の範囲外のエアゾール製品の形態を示す要部断面図である。
【図１５】図１５ａは本発明の範囲外のエアゾール製品の形態を示す一部断面側面図、図１５ｂはそのエアゾール製品の使用状態を示す一部断面側面図、図１５ｃはそのエアゾール製品の使用対象と共に示す斜視図である。
【図１６】本発明の回転式エアゾール製品の実施例の効果の測定方法を示す斜視図である。
【図１７】従来の回転式エアゾール製品の使用状態を示す断面図である。
【符号の説明】
１０ 回転式エアゾール製品
１１ エアゾール製品
１２ 回転台
１３ ノズル
１３ａ  噴孔
１４ 容器
１５ バルブ
１６ ステム
１６ａ  ディップチューブ
１７ ボタン
１７ａ  係止片
１７ｂ  カバー
１７ｃ  係合片
１８ エアゾール組成物
１９ 胴部
２０ 巻き締め部
２１ ドーム
２１ａ  ビード部
２２ 巻き締め部
２３ 底部
２４ 環状凹部
３１ 回転部材
３２ 支持部材
３３ ボール
３４ リテーナ
３６ 外周壁
３６ａ  外筒
３７ 押さえ部
３８ 突起
３９ 係合突起
４０ 環状溝
４４ 底板
４５ 段部
４６ 内筒
４７ 環状
４８ 爪
４９ シール
５０ 貫通孔
５１ 突出部
６０ 可撓片
６１ 磁石
６３ 羽根
６５ 回転式エアゾール製品
６６ 駆動機構
Ｍ  モータ
６７ 出力軸
６８ ローラ
７０ 回転式エアゾール製品
７１ 部屋
７２、７３  壁
１５Ａ  バルブ
７５ ハウジング
７６ 空所
７７ ベーパータップ
７８ 連通孔
７９ 下穴
８０ ボール
８１ エアゾール製品
８２ ディップチューブ
８３ 折り曲げ部
８４ 重り
８５ 気相部
８６ 液相部
８８ 回転式エアゾール製品
８９ａ  第１のノズル
８９ｂ  第２のノズル
Ｓ１  回転方向
９０ 回転式エアゾール製品
９１ チューブ
９２ 重り
９３ 下部近辺の位置
９４ 突起
９５ 肩カバー
９６ 段部
９７ 連結チューブ
９８ 自動車
【図１】
0004832661.tif 000005
【図２】
0004832661.tif 000006
【図３】
0004832661.tif 000007
【図４】
0004832661.tif 000008
【図５】
0004832661.tif 000009
【図６】
0004832661.tif 000010
【図７】
0004832661.tif 000011
【図８】
0004832661.tif 000012
【図９】
0004832661.tif 000013
【図１０】
0004832661.tif 000014
【図１１】
0004832661.tif 000015
【図１２】
0004832661.tif 000016
【図１３】
0004832661.tif 000017
【図１４】
0004832661.tif 000018
【図１５】
0004832661.tif 000019
【図１６】
0004832661.tif 000020
【図１７】
0004832661.tif 000021